(57)【要約】 【課題】  二段増幅回路において、回路素子数を削減しながらも、必要な回路利得と周波数特性が得、コストダウンを図る。【解決手段】  本発明の増幅回路は、入力信号を検出する検出器と、前記検出器と接続され、その出力電流を増幅するための帰還増幅回路とを備えた増幅回路であって、前記増幅回路の出力と基準電位との間に設けられた分圧用抵抗を備え、前記分圧用抵抗の一端が前記出力側に接続され、前記分圧用抵抗の分割点に前記帰還増幅回路の抵抗が接続され、前記分圧用抵抗の他端が前記帰還増幅回路の入力に接続されたことを特徴としている。    上記構成により、回路素子数を削減し、必要な回路利得と周波数特性を得られる事が出来、コストダウンもはかれる。【選択図】  図１
2006345459.tif 000002
【特許請求の範囲】
【請求項１】
入力信号を検出する検出器と、前記検出器と接続され、その出力電流を増幅するための帰還増幅回路とを備えた増幅回路において、
前記増幅回路の出力と基準電位との間に設けられた分圧用抵抗を備え、前記分圧用抵抗の一端が前記出力側に接続され、前記分圧用抵抗の分割点に前記帰還増幅回路の抵抗が接続され、前記分圧用抵抗の他端が前記帰還増幅回路の入力に接続されたことを特徴とする増幅回路。
【請求項２】
前記検出器は、光の入力に対応した検出器であることを特徴とした請求項１に記載の増幅回路。
【請求項３】
前記分圧用抵抗は、その分割点の位置を変えることにより、前記増幅回路の利得を調整することができることを特徴とした請求項１に記載の増幅回路。
【請求項４】
入力信号を検出する複数の検出器と、各検出器に接続され、その出力電流を増幅するための帰還増幅回路とを備え、選択信号により前記帰還増幅回路のうちひとつが有効にされる増幅回路において、
前記増幅回路の出力と基準電位との間に設けられた分圧用抵抗を備え、前記分圧用抵抗の一端が前記出力側に接続され、前記分圧用抵抗の分割点に前記帰還増幅回路の抵抗が接続され、前記分圧用抵抗の他端が前記帰還増幅回路の入力に接続されたことを特徴とする増幅回路。
【請求項５】
前記複数の検出器は、異なる光の入力に対応した検出器であることを特徴とした請求項４に記載の増幅回路。
【請求項６】
前記増幅回路は、第一の光に合わせた抵抗をもつ第一の帰還増幅回路と、第二の光に合わせた抵抗をもつ第二の帰還増幅回路であることを特徴とする請求項４、５に記載の増幅回路。
【請求項７】
前記第一と第二の帰還増幅回路の抵抗が各々接続された第一と第二の分圧用抵抗を備え、前記第一と第二の分圧用抵抗の抵抗値を異ならせたことを特徴とする請求項６に記載の増幅回路。
【請求項８】
前記選択信号により動作し、前記第一と第二の分圧用抵抗のどちらか一方を有効にする為の選択スイッチを前記増幅回路の出力と基準電位との間に設けたことを特徴とする請求項７に記載の増幅回路。
【請求項９】
前記選択スイッチは、前記分圧用抵抗の他端と基準電位間に設けられており、前記選択スイッチは前記帰還増幅回路のうちひとつを有効とする選択信号によって制御されるＮＰＮトランジスタであることを特徴とする請求項８に記載の増幅回路。
【請求項１０】
前記選択スイッチは、前記分圧用抵抗の一旦と前記増幅回路の出力間に設けられており、前記選択スイッチは前記帰還増幅回路のうちひとつを有効とする選択信号によって制御されるＰＮＰトランジスタであることを特徴とする請求項８に記載の増幅回路。
【請求項１１】
前記選択スイッチは、前記分圧用抵抗の他端と基準電位間に設けられており、前記選択スイッチは前記帰還増幅回路のうちひとつを有効とする選択信号によって制御されるエミッタフォロア回路とすることを特徴とする請求項８に記載の増幅回路。
【請求項１２】
請求項１から１１のいずれかに記載の増幅回路を備えた光ピックアップ装置。
【発明の詳細な説明】
【技術分野】
【０００１】
本発明は、光検出器から出力される出力電流を電圧増幅するための増幅回路に関し、より詳しくは波長の異なる２種類以上の光を持つレーザ素子を用いた光ピックアップ装置などに使用される。
【背景技術】
【０００２】
ＤＶＤ、ＣＤなどの光ディスクは、音楽、映像、データ情報などを記録するメディアとして広く使用されており、メディアに記録された情報の再生、またはメディアへの記録のため、光ピックアップ装置が開発されてきた。また、近年におけるＤＶＤの普及に伴い、ＤＶＤおよびＣＤの併用を可能とし、更には光ピックアップ装置のコスト低減を可能とする、ＤＶＤ用λ＝６５０ｎｍ、ＣＤ用λ＝７８０ｎｍの２波長に対応した光ピックアップ用受光素子が必要とされている。
【０００３】
図６に２波長のレーザチップを有する２波長レーザ対応の光ピックアップ装置概略図を示す。図６に示す光ピックアップ装置は２波長レーザ７、プリズム８、集光レンズ９、受光素子ＩＣチップ１０、受光素子ＩＣチップ１０内に有するフォトダイオード１１で構成されている。２波長レーザ７はＤＶＤ用６５０ｎｍとＣＤ用７８０ｎｍの２種類の光を出力（出射）できる。
【０００４】
２波長レーザ７から出射されたレーザ光１２がプリズム８、集光レンズ９を経由し、メディアであるディスク１３に照射される。その反射レーザ光１４が集光レンズ９、プリズム８を経由し受光素子ＩＣチップ１０内に有するフォトダイオード１１に照射される。２波長レーザ７が発光するレーザ光１２の各波長光の発光点位置が異なる為、受光素子ＩＣ内に有するフォトダイオード１１への反射光照射位置は異なる。そのため、それぞれの反射レーザ光１４に対応したフォトダイオード形状と増幅回路が必要になってくる。
【０００５】
また、図７に２波長レーザに対応した受光素子ＩＣチップ１０の表面拡大図を示す。２波長レーザ対応フォトダイオードは、１０個のフォトダイオードから構成されている。ＣＤ用（λ＝７８０nm）としてＡ１〜Ａ４、Ｅ、Ｆ、ＤＶＤ用（λ＝６５０ｎｍ）としてａ１〜ａ４が使用される。ＣＤ用、ＤＶＤ用それぞれにおいてフォトダイオードＡ１〜Ａ４、ａ１〜ａ４が、情報信号光、フォーカス信号光を受光する。フォトダイオードＥ、Ｆはトラッキング調整を行うためのものである。これにより、フォトダイオードＡ１〜Ａ４、ａ１〜ａ４にそれぞれ接続される増幅回路を必要とし、ＣＤ用、ＤＶＤ用にあわせ、増幅回路を切り換える必要がでてくる。
【０００６】
図８に従来の２波長レーザ対応の増幅回路ブロック図を、図９に従来の２波長レーザ対応の増幅回路図を示す。図８においてはフォトダイオードａ１−Ａ１に接続する増幅回路を一例としたものであり、同一構成の増幅回路がフォトダイオードａ２−Ａ２、ａ３−Ａ３、ａ４−Ａ４に対してそれぞれ必要になってくる。フォトダイオードａ１及びＡ１は、それぞれ選択信号により制御される初段の増幅回路ＡＭＰ１、ＡＭＰ２に接続され、初段の増幅回路ＡＭＰ１，ＡＭＰ２の出力信号は、後段に接続される増幅回路ＡＭＰ３により増幅される。図８の増幅回路ＡＭＰ１は図９では、トランジスタＱ１、Ｑ２から成る差動回路２、定電流回路Ｉ１、トランジスタＱ５、Ｑ６、抵抗Ｒ７、Ｒ８から成る能動回路１、利得抵抗Ｒ１、位相補償用容量Ｃ１で構成されている。同様に、図８の増幅回路ＡＭＰ２は図９では、トランジスタＱ３、Ｑ４から成る差動回路３、定電流回路Ｉ２、トランジスタＱ５、Ｑ６、抵抗Ｒ７、Ｒ８から成る能動回路１、利得抵抗Ｒ２、位相補償用容量Ｃ２で構成されている。図８、図９のＲ５、Ｒ６はオフセット調整用の抵抗である。また図８の増幅回路ＡＭＰ３は図９では、トランジスタＱ８、Ｑ９から成る差動回路６、定電流回路Ｉ４、トランジスタＱ１０、Ｑ１１、抵抗Ｒ９、Ｒ１０から成る能動回路５、利得抵抗Ｒ３、Ｒ４、位相補償用容量Ｃ３で構成されている。能動回路１は増幅回路ＡＭＰ１、ＡＭＰ２で共有利用しており、回路素子数低減により受光素子ＩＣチップコストの低減を可能としている。
【０００７】
例えば、ＤＶＤ用として使用する場合、図９において選択信号により定電流回路Ｉ１を動作させ、同Ｉ２を動作させないでおくことで差動回路２が動作状態、差動回路３が非動作状態となる。フォトダイオードａ１に照射された信号光により発生した光電流Ｉａ１が利得抵抗Ｒ１により電流−電圧変換され、後段の増幅回路ＡＭＰ３により増幅される。この場合の増幅回路出力端Ｖｏの出力電圧Ｖ１は以下の式で表される。
【０００８】
Ｖ１＝Ｉａ１×Ｒ１×（Ｒ３＋Ｒ４）／Ｒ３
また、この場合の増幅利得Ｚ１は、以下となる。
【０００９】
Ｚ１＝Ｒ１×（Ｒ３＋Ｒ４）／Ｒ３
次に光ピックアップ装置に使用される増幅回路として重要項目である、感度特性、ノイズ特性、周波数特性について記す。
【００１０】
光ピックアップ装置における増幅回路の感度特性は前記出力電圧Ｖ１／フォトダイオード入射光量で表される。
【００１１】
フォトダイオードが接続されたトランジスタのショットノイズをＮi、Ｒ１の熱雑音をＮrとするときの増幅回路出力のノイズ特性（レベル）Ｖnは、
Ｖn＝√（Ｎi2＋Ｎｒ2）×（Ｒ３＋Ｒ４）／Ｒ３
となる。
【００１２】
また、周波数特性とは、感度特性をＡＣ的に表現した項であり、回路利得において特に初段の増幅回路の利得抵抗Ｒ１に大きく影響し、その時定数は下記式により表される。
【００１３】
ｆc＝１／（２πＲ１×Ｃ１）
増幅回路の特性は、Ｒ１、Ｒ２、Ｒ３により決定し、ノイズ特性については、後段に接続される増幅回路の増幅率（Ｒ３＋Ｒ４）／Ｒ３を増すことで悪化し、周波数特性については、初段の増幅回路の利得抵抗Ｒ１を大きくすることで低下してしまう特性項目であることがわかる。
【００１４】
実際には、従来例の増幅回路においては、フォトダイオードで発生する信号電流値、出力すべき信号値、ＩＣの半導体製造条件を鑑み、初段の増幅回路と後段の増幅回路の総合利得８０ｋΩが必要とされており、増幅回路においては初段の増幅回路の利得抵抗Ｒ１＝４０ＫΩ、後段の増幅回路の利得（Ｒ３＋Ｒ４）／Ｒ３＝２倍とすることで、感度／ノイズ（Ｓ／Ｎ）特性を良好とし、必要な周波数特性ｆｃ＝６０ＭＨｚを達成している。
【００１５】
前述したように２波長レーザを用いた光ピックアップ装置は、コスト低減が重要課題となっており、レーザの１チップ化、光学部品の共有化を進めてきた。特にＤＶＤ−ＰＬＡＹＥＲに使用される光ピックアップ装置においては、普及に伴いコストダウン競争は益々激化しており、また、増幅回路においては、回路素子削減をおこない、コスト低減を図っている。これらの課題解決策として特開２００１−２０２６４６が開示されている。
【特許文献１】特開２００１−２０２６４６
【発明の開示】
【発明が解決しようとする課題】
【００１６】
しかし、特開２００１−２０２６４６においては、単一の利得抵抗へフォトダイオード入力切替をするもので、入射光波長に応じた利得の調整には適さない。更には、一段の増幅回路を高利得としＤＶＤ用の周波数特性ｆｃ＝３０〜６０ＭＨｚを得るのが難しいと予想される。微細高速プロセスを採用することにより、達成することも可能であるが、コストダウンの目的からは外れるものである。
【００１７】
また、さらに近年では一層のコストダウンの為に回路素子数の削減を求められる。
【課題を解決するための手段】
【００１８】
本発明の増幅回路は、入力信号を検出する検出器と、前記検出器と接続され、その出力電流を増幅するための帰還増幅回路とを備えた増幅回路であって、
前記増幅回路の出力と基準電位との間に設けられた分圧用抵抗を備え、前記分圧用抵抗の一端が前記出力側に接続され、前記分圧用抵抗の分割点に前記帰還増幅回路の抵抗が接続され、前記分圧用抵抗の他端が前記帰還増幅回路の入力に接続されたことを特徴としている。
【００１９】
また、本発明の増幅回路での検出器は、光の入力に対応した検出器であることを特徴としている。
【００２０】
また、本発明の増幅回路での分圧用抵抗は、その分割点の位置を変えることにより、前記増幅回路の利得を調整することができることを特徴としている。
【００２１】
また、本発明の増幅回路は、入力信号を検出する複数の検出器と、前記検出器と接続され、その出力電流を増幅するための帰還増幅回路とを備え、選択信号により前記帰還増幅回路のうちひとつが有効にされる増幅回路であって、
前記増幅回路の出力と基準電位との間に設けられた分圧用抵抗を備え、前記分圧用抵抗の一端が前記出力側に接続され、前記分圧用抵抗の分割点に前記帰還増幅回路の抵抗が接続され、前記分圧用抵抗の他端が前記帰還増幅回路の入力に接続されたことを特徴としている。
【００２２】
また、本発明の増幅回路での複数の検出器は、異なる光の入力に対応した検出器であることを特徴としている。
【００２３】
また、本発明の増幅回路は、第一の光に合わせた抵抗をもつ第一の帰還増幅回路と、第二の光に合わせた抵抗をもつ第二の帰還増幅回路であることを特徴としている。
【００２４】
また、本発明の増幅回路は、第一と第二の帰還増幅回路の抵抗が各々接続された第一と第二の分圧用抵抗を備え、第一と第二の分圧用抵抗の抵抗値を異ならせたことを特徴としている。
【００２５】
また、本発明の増幅回路では、選択信号により動作し、前記第一と第二の分圧用抵抗のどちらか一方を有効にする為の選択スイッチ（ＮＰＮトランジスタ、ＰＮＰトランジスタ、エミッタフォロア回路のいずれか）を前記増幅回路の出力と基準電位との間に設けたことを特徴とする
【発明の効果】
【００２６】
二段の増幅回路において、回路素子数を削減しながらも、必要な回路利得と周波数特性が得られ、コストダウンに寄与することが出来る。
【発明を実施するための最良の形態】
【００２７】
（実施の形態１）
図１は本発明の実施の形態１に関わる回路図である。図１（ａ）において増幅回路は、第一の検出器としてのＤＶＤ光信号受光用フォトダイオードａ１が接続された差動回路２と第二の検出器としてのＣＤ光信号受光用フォトダイオードＡ１が接続された差動回路３からなり、差動回路２はトランジスタＱ１、Ｑ２で、差動回路３はトランジスタＱ３、Ｑ４で構成され、それぞれの差動回路２、３には定電流回路Ｉ１、Ｉ２が接続されている。また、この差動回路２、差動回路３は、ＰＮＰトランジスタＱ５、Ｑ６と抵抗Ｒ７、Ｒ８からなる能動回路１と、トランジスタＱ７と定電流回路Ｉ３からなる出力回路４を共有する構成をしている。ＤＶＤ用回路利得抵抗Ｒ１、及びＣＤ用回路利得抵抗Ｒ２が、増幅回路出力Ｖｏ端と基準電位Ｖｓ端に接続された分圧用抵抗Ｒ１３、Ｒ１４の分割点に接続する回路となっている。分圧用抵抗Ｒ１３は分割点から基準電位側に設けられた分圧用抵抗で、分圧用抵抗Ｒ１４は分割点から増幅回路出力側に設けられた分圧用抵抗である。これにより分圧用抵抗Ｒ１４と利得抵抗Ｒ１もしくはＲ２とで帰還抵抗を形成し図１（ｃ）に示す構成とした。また、各利得抵抗Ｒ１、Ｒ２には位相調整用容量Ｃ１、Ｃ２が平行に接続されている。さらに、オフセット調整用の抵抗としてＲ５、Ｒ６を有している。選択信号により定電流回路Ｉ１、またはＩ２を動作させることで差動回路２、３の切り替えを行い、ＤＶＤモードもしくはＣＤモードどちらかを選択するようになっている。
【００２８】
前述したように、ピックアップ装置における増幅回路は、高利得に適した周波数特性を必要としている。このため、増幅回路を高利得とする為には、利得抵抗Ｒ１または、Ｒ２を大きい抵抗値とする必要があった。しかしながら、前述したように適した周波数特性を得るためには、利得抵抗Ｒ１または、Ｒ２の抵抗値を小さくする必要があった。この為、従来例回路では、初段の利得抵抗を３０〜４０ｋΩとし、後段の増幅回路にて２倍利得を得る構成とし、周波数特性にて要望特性を達成していた。
【００２９】
これに対し本実施例の回路では、増幅回路出力Ｖｏ端と基準電位Ｖｓ端間の分圧用抵抗Ｒ１３、Ｒ１４による分圧電位を利得抵抗Ｒ１またはＲ２により増幅回路ＡＭＰ１，ＡＭＰ２へ帰還する構成とした。図１（ｂ）にこの図１（ａ）で示した回路図のブロック図を示し、このうちのＤＶＤ用増幅回路として用いる部分を図１（ｃ）に示す。図１（ｃ）において次の３式が成り立つ。
【００３０】
Ｉ１４＝Ｉ１３＋Ｉ１              
Ｖｏ＝Ｒ１・Ｉ１＋Ｒ１４・Ｉ１４  
Ｉ１・Ｒ１＝Ｖｓ＋Ｒ１３・Ｉ１３            
この３式より出力端電圧Ｖｏについて解くと
Ｖｏ＝Ｉ１・Ｒ１×（Ｒ１３＋Ｒ１４）／Ｒ１３＋Ｉ１・Ｒ１４−Ｖｓ・Ｒ１４／Ｒ１３
右辺第２，３項は右辺第１項に比べ値が十分小さいので無視できる。よって、
Ｖｏ＝Ｉ１・Ｒ１×（Ｒ１３＋Ｒ１４）／Ｒ１３
となる。増幅利得Ｚ２は
Ｚ２＝Ｒ１×（Ｒ１３＋Ｒ１４）／Ｒ１３
となる。ＣＤ用として用いる場合も同様の考え方ができる。これにより増幅回路の増幅回路構成を１段とすることが可能となり、同時に従来例と同じ増幅利得、周波数特性を得られる事が可能となった。また、回路素子数が減ったことで素子専有面積を減らすことができ、コスト低減を可能とすることが出来た。
【００３１】
具体的にはＤＶＤモードを例にすると、従来例回路において２段の増幅回路構成とした場合、初段の利得抵抗４０ｋΩ、後段の利得２倍を必要としていたのに対し、本実施例では、Ｒ１３＝Ｒ１４＝１ｋΩとすると利得抵抗Ｒ１＝４０ｋΩとなり、従来例の２段増幅回路構成における初段の利得抵抗値と同一値とすることが可能で、回路特性上同等のものが得られる。また、分圧用抵抗においても小さい抵抗値で比を作ることが可能であり、受光素子内における抵抗素子の面積占有率を低下させ、コスト低減を一層可能とする。
【００３２】
また、ＤＶＤ用の利得抵抗Ｒ１及びＣＤ用の利得抵抗Ｒ２をそれぞれの波長に合わせた抵抗値とすることで、モードにあわせた要望感度特性が得られることを可能としている。     
【００３３】
本実施例では２つの光に対応の増幅回路を示したが、帰還増幅回路と検出器を対応させたい光の数を用意し、１つの光対応、もしくは、３つ以上の光対応とすることも可能である。
【００３４】
また、本実施例では、Ｒ１３＝Ｒ１４＝１ｋΩとして、従来例の後段増幅回路と同じ２倍の利得を得る例を示したが、Ｒ１３とＲ１４の値を異なる値に変えれば、任意の利得値を得ることが可能である。
【００３５】
（実施の形態２）
図２は本発明の実施の形態２に関わる回路図である。本実施の形態における回路はＤＶＤモードとＣＤモードとの間により更に大きい利得差を必要とする場合に有効である。
【００３６】
図２において増幅回路は、第一の検出器としてのＤＶＤ光信号受光用フォトダイオードａ１が接続された差動回路２と第二の検出器としてのＣＤ光信号受光用フォトダイオードＡ１が接続された差動回路３からなり、差動回路２はトランジスタＱ１、Ｑ２で、差動回路３はトランジスタＱ３、Ｑ４で構成され、それぞれの差動回路２、３には定電流回路Ｉ１、Ｉ２が接続されている。また、この差動回路２、差動回路３は、ＰＮＰトランジスタＱ５、Ｑ６と抵抗Ｒ７、Ｒ８からなる能動回路１と、トランジスタＱ７と定電流回路Ｉ３の出力回路４を共有する構成をしている。ＤＶＤ用回路利得抵抗Ｒ１が、増幅回路出力Ｖｏ端と基準電位Ｖｓ端に接続された分圧用抵抗Ｒ１５、Ｒ１６の分割点に接続する回路と成っている。また、同様にＣＤ用回路利得抵抗Ｒ２が、増幅回路出力Ｖｏ端と基準電位Ｖｓ端に接続された分圧用抵抗Ｒ１７、Ｒ１８の分割点に接続する回路となっている。これによりＤＶＤ用においては分圧用抵抗Ｒ１６と利得抵抗Ｒ１、ＣＤ用においては分圧用抵抗Ｒ１８とＲ２とで帰還抵抗を形成し帰還増幅回路を形成する構成とした。また、各利得抵抗Ｒ１、Ｒ２には位相調整用容量Ｃ１、Ｃ２が平行に接続されている。さらに、オフセット調整用の抵抗としてＲ５、Ｒ６を有している。分圧用抵抗と増幅回路出力Ｖｏ端、もしくは基準電位Ｖｓ端の間のいずれかにそれぞれ選択スイッチ１、２を有し、選択信号により選択スイッチ１、２の切り替えと、定電流回路Ｉ１、またはＩ２を動作させることで差動回路２、３の切り替えを行い、ＤＶＤモードもしくはＣＤモードどちらかを選択するようになっている。
【００３７】
ここでの選択スイッチはＤＶＤ、ＣＤモードの切替に連動してｏｎ／ｏｆｆ制御するものであるが、選択スイッチを有さない場合においても動作は可能である。しかしながら、たとえば、ＤＶＤモードとして定電流回路Ｉ１＝ｏｎ、定電流回路Ｉ２＝ｏｆｆの状態において選択スイッチを有さない場合、ＣＤ用分圧用抵抗Ｒ１７、Ｒ１８は、ＤＶＤモード動作において増幅回路出力に接続された負荷抵抗となってしまい、特性低下の要因となりえる。したがって、本実施例の選択スイッチを有することで、抵抗負荷を切り離し良好な特性を得ることを可能とする。
【００３８】
次に選択スイッチの具体例を図３、図４に示す。
【００３９】
図３においては、選択スイッチとしてのＮＰＮトランジスタＱ８、Ｑ９をＤＶＤ用分圧用抵抗Ｒ１５と基準電位間、ＣＤ用分圧用抵抗Ｒ１７と基準電位間に接続する。それぞれのモードにおいてＮＰＮトランジスタをｏｎ／ｏｆｆすることでその機能を果たす。また、ＮＰＮトランジスタＱ８、Ｑ９を前記の場所に配することで、各トランジスタｏｎ状態でのトランジスタＱ８のベース電流ＩｂＱ８またはトランジスタＱ９のベース電流ＩｂＱ９は、各トランジスタのエミッタを通り基準電位方向に流入し、利得抵抗Ｒ１、Ｒ２での電圧降下への影響を与えることはない。
【００４０】
図４においては、選択スイッチとしてのＰＮＰトランジスタＱ１０、Ｑ１１をＤＶＤ用分圧用抵抗Ｒ１６と増幅回路出力端、ＣＤ用分圧用抵抗Ｒ１８と増幅回路出力端間に接続する。それぞれのモードにおいてＰＮＰトランジスタをｏｎ／ｏｆｆすることでその機能を果たす。また、ＰＮＰトランジスタＱ１０、Ｑ１１を前記の場所に配することで、各トランジスタｏｎ状態でのトランジスタＱ１０のベース電流ＩｂＱ１０またはトランジスタＱ１１のベース電流ＩｂＱ１１は出力端より流入し、各トランジスタのエミッタ、ベースを通るため、利得抵抗Ｒ１、Ｒ２での電圧降下への影響を与えることはない。
【００４１】
このように、ＮＰＮトランジスタまたはＰＮＰトランジスタを前記配置とする選択スイッチ１、２を有することで、良好な特性をえることが可能となる。
【００４２】
（実施の形態３）
図５は本発明の実施の形態３に関わる回路図である。上述した実施の形態における選択スイッチをトランジスタスイッチによる制御する場合、トランジスタがＯＮ状態ではトランジスタのコレクタ−エミッタ間のＯＮ抵抗が存在し、抵抗総和値に影響を及ぼす恐れがある。たとえば、図３におけるＤＶＤモードにおいてはＮＰＮトランジスタＱ８のＯＮ抵抗をＲｔｒ８ｏｎとした場合、増幅回路利得は下記Ｚ３となりトランジスタＱ８のＯＮ抵抗により回路利得値精度を低下させる可能性がある。
【００４３】
ＤＶＤモードの場合
Ｚ３＝Ｒ１×（Ｒ１５＋Ｒｔｒ８ｏｎ＋Ｒ１６）／（Ｒ１５＋Ｒｔｒ８ｏｎ）
【００４４】
図５においては選択スイッチを、分圧用抵抗Ｒ１５と基準電位Ｖｓ間に接続された基準電位Ｖｓを供与する第１のエミッタフォロアー回路（定電流回路Ｉ４、Ｉ５、トランジスタＱ１２，Ｑ１３で構成）と、分圧用抵抗Ｒ１７と基準電位Ｖｓ間に接続された基準電位Ｖｓを供与する第２のエミッタフォロアー回路（定電流回路Ｉ６、Ｉ７、トランジスタＱ１４，Ｑ１５で構成）とで構成して、エミッタフォロアー回路を選択信号により制御することで、実施の形態２で説明した選択スイッチと同等の効果を得ることができる。具体的には、ＤＶＤモードにて動作する場合、選択信号によりエミッタフォロアー回路１を動作状態にし、エミッタフォロアー回路２を非動作状態することでＤＶＤ用分圧用抵抗Ｒ１５には基準電位が供与され、ＣＤ用分圧用抵抗Ｒ１７には電位が供与されずオープン状態とすることで負荷としての効果を低減する。
【００４５】
よって、選択信号により制御されるエミッタフォロアー回路により基準電位を供与する構成とすることでトランジスタスイッチを選択スイッチとする場合のトランジスタオン抵抗などの問題を回避することが可能である。
【００４６】
本実施例では、２つの光に対応の増幅回路を示したが、帰還増幅回路と検出器、それに分圧用抵抗を対応させたい光の数を用意し、３つ以上の光対応も可能である。
【００４７】
また、光入力の代わりに、音声・温度等の他のセンサー信号でも実施が可能である。
【図面の簡単な説明】
【００４８】
【図１】本発明の実施の形態１にかかる増幅回路をしめす図である。
【図２】本発明の実施の形態２にかかる増幅回路をしめす図である。
【図３】本発明の実施の形態２の具体例をしめす増幅回路図である。
【図４】本発明の実施の形態２の具体例をしめす増幅回路図である。
【図５】本発明の実施の形態３にかかる増幅回路をしめす図である。
【図６】従来技術における光ピックアップ装置構成模式図である。
【図７】受光素子ＩＣチップの表面拡大図である。
【図８】従来技術における２波長レーザ対応の増幅回路ブロック図である。
【図９】従来技術における２波長レーザ対応の増幅回路図である。
【符号の説明】
【００４９】
１      能動回路
２      差動回路
３      差動回路
４      出力回路
５      能動回路
６      差動回路
７      ２波長レーザ
８      プリズム
９      レンズ
１０    ２波長レーザ対応の受光素子ＩＣチップ
１１    フォトダイオード
１２    ２波長レーザ７から出射されたレーザ光
１３    ディスク
１４    反射レーザ光
ａ１〜ａ４            ＤＶＤ用フォトダイオード
Ａ１〜Ａ４、Ｅ、Ｆ    ＣＤ用フォトダイオード
【図１】
2006345459.tif 000003
【図２】
2006345459.tif 000004
【図３】
2006345459.tif 000005
【図４】
2006345459.tif 000006
【図５】
2006345459.tif 000007
【図６】
2006345459.tif 000008
【図７】
2006345459.tif 000009
【図８】
2006345459.tif 000010
【図９】
2006345459.tif 000011